(57)【特許請求の範囲】
【請求項１】
子機と、該子機が着脱可能に構成された携帯電話本体とからなり、該子機と該携帯電話本体との間で情報を通信する携帯電話機であって、
上記携帯電話本体が、
上記子機の該携帯電話本体への接続を検知する接続検知手段と、
上記接続検知手段によって上記子機が該携帯電話本体に接続されたことが検知されたときに、該携帯電話本体の電源をオフにする電源切替手段とを備え、
上記子機が、
上記子機の該携帯電話本体への接続を検知する接続検知手段と、
該接続検知手段によって上記子機が該携帯電話本体に接続されたことが検知されたときに、該子機の電源をオフにする電源切替手段とを備える
ことを特徴とする携帯電話機。
【請求項２】
上記子機又は上記携帯電話本体が、
上記情報を含む電波を検知する電波検知手段と、
上記電波検知手段によって上記電波が検知されなくなったときにアラームを出力するアラーム出力手段を備える
ことを特徴とする請求項１に記載の携帯電話機。
【請求項３】
子機と、該子機が着脱可能に構成された携帯電話本体とからなり、該子機と該携帯電話本体との間で情報を通信する携帯電話機における電源管理方法であって、
上記携帯電話本体が、上記子機の該携帯電話本体への接続を検知し、
該携帯電話本体が、上記子機が該携帯電話本体に接続されたことが検知されたときに、該携帯電話本体の電源をオフにし、
上記子機が、上記子機の該携帯電話本体への接続を検知し、
該子機が、上記子機が該携帯電話本体に接続されたことが検知されたときに、該子機の電源をオフにする
ことを特徴とする携帯電話機における電源管理方法。
【請求項４】
上記子機又は上記携帯電話本体が、上記情報を含む電波を検知し、
該子機又は該携帯電話本体が、上記電波が検知されなくなったときにアラームを出力する
ことを特徴とする請求項３に記載の携帯電話機における電源管理方法。
【発明の詳細な説明】
【技術分野】
【０００１】
本発明は、携帯電話機及び携帯電話機における電源管理方法に関し、特に、子機と携帯電話本体とが接続されたことを検知して、該子機の電源と携帯電話本体の電源をオフにする携帯電話機及び携帯電話機における電源管理方法に関する。
【背景技術】
【０００２】
現在、航空法によって、航空機の離着陸時には、電波を発信する機器は、一部の機器を除き、電源をオフにすることが求められている。従来、子機と携帯電話本体とからなる携帯電話機のユーザは、上記航空法によって定められた規定に従って、例えば航空機への搭乗時に携帯電話本体を操作して該携帯電話本体の電源をオフにするとともに子機を操作して該子機の電源をオフにする。そして、該ユーザは、航空機から降りた際に、該携帯電話機を使用するために、携帯電話本体を操作して該携帯電話本体の電源をオンにするとともに、子機を操作して該子機の電源をオンにする。上記航空機の離着陸時に限らず、例えば、病院内等の、携帯電話機の電源をオフにすることが必要な環境においては、該携帯電話機の電源をオフにして、該携帯電話から電波が発信されないようにする必要がある。
【０００３】
なお、下記の特許文献１には、比較的強い電磁波で無線基地局と情報の送受信を行うとともに比較的弱い電磁波で子機と情報の送受信を行う親機と、通信時にユーザが操作する子機とからなる携帯電話について記載されている。該特許文献１に記載された携帯電話によれば、比較的強い電磁波を送受信する親機をユーザの体に近接させることなく通信を行うことができる。
また、例えば、置き忘れ防止機能を備える携帯電話機として、子機が継続的に電波を発信し、該子機から発信される電波が携帯電話本体によって検知されなくなった場合に、該携帯電話本体がアラームを出力（例えば、警告音を出力）する携帯電話機が考えられる。
【特許文献１】特開２０００−２９９７２０号公報
【発明の開示】
【発明が解決しようとする課題】
【０００４】
しかし、携帯電話のユーザが、航空機への搭乗時に該携帯電話本体の電源をオフにするとともに該子機の電源をオフにし、航空機から降りた際に該携帯電話本体の電源をオンにするとともに該子機の電源をオンにするという煩雑な操作をしなければならないのでは、該ユーザの負担が大きい。
本発明は上記問題点を解決するためになされたものであって、携帯電話機の電源をオフにすることが必要な環境において、簡便な操作で携帯電話本体と子機の電源をオフにする携帯電話機及び携帯電話機における電源管理方法の提供を目的とする。
【課題を解決するための手段】
【０００５】
上記課題を解決するため、本発明は次のようにして前記課題を解決する。
（１）子機と、該子機が着脱可能に構成された携帯電話本体とからなり、該子機と該携帯電話本体との間で情報を通信する携帯電話機を設ける。上記携帯電話本体が、上記子機の該携帯電話本体への接続を検知する接続検知手段と、上記接続検知手段によって上記子機が該携帯電話本体に接続されたことが検知されたときに、該携帯電話本体の電源をオフにする電源切替手段とを備える。また、上記子機が、上記子機の該携帯電話本体への接続を検知する接続検知手段と、該接続検知手段によって上記子機が該携帯電話本体に接続されたことが検知されたときに、該子機の電源をオフにする電源切替手段とを備える。
（２）上記子機又は上記携帯電話本体が、上記情報を含む電波を検知する電波検知手段と、上記電波検知手段によって上記電波が検知されなくなったときにアラームを出力するアラーム出力手段を備える。
（３）子機と、該子機が着脱可能に構成された携帯電話本体とからなり、該子機と該携帯電話本体との間で情報を通信する携帯電話機における電源管理方法を用いる。上記携帯電話本体が、上記子機の該携帯電話本体への接続を検知し、該携帯電話本体が、上記子機が該携帯電話本体に接続されたことが検知されたときに、該携帯電話本体の電源をオフにし、上記子機が、上記子機の該携帯電話本体への接続を検知し、該子機が、上記子機が該携帯電話本体に接続されたことが検知されたときに、該子機の電源をオフにする。
（４）上記子機又は上記携帯電話本体が、上記情報を含む電波を検知し、該子機又は該携帯電話本体が、上記電波が検知されなくなったときにアラームを出力する。
【発明の効果】
【０００６】
本発明によれば、以下の効果を奏することができる。
（１）本発明の携帯電話機及び携帯電話機における電源管理方法は、携帯電話本体が、子機の該携帯電話本体への接続を検知して、該携帯電話本体の電源をオフにし、子機が、該子機の該携帯電話本体への接続を検知して、該子機の電源をオフにする。従って、本発明によれば、例えば航空機の離着陸時等、携帯電話機の電源をオフにすることが必要な環境において、子機と携帯電話本体とを接続するという簡便な操作によって、該子機と該携帯電話本体の電源をオフにすることが可能となる。
（２）本発明の携帯電話機及び携帯電話機における電源管理方法は、子機又は携帯電話本体が、該子機と該携帯電話本体との間で通信される情報を含む電波を検知し、該子機又は該携帯電話本体が、該電波が検知されなくなったときにアラームを出力する。従って、本発明によれば、例えば、子機を携帯する携帯電話機のユーザが、携帯電話本体を置き忘れることを防止することができる。
【発明を実施するための最良の形態】
【０００７】
図１は、本発明の原理を説明する図である。
本発明の携帯電話機は、図１（Ａ）、（Ｂ）に示すように、子機１と、該子機１が着脱可能に構成された携帯電話本体２とからなる。子機１は携帯電話本体２との間で情報を通信する機器である。例えば、子機１は、携帯電話本体２に対して制御情報を送信するリモコンや、携帯電話本体２に対して無線で入力情報を送信するキーボードである。また、例えば、子機１は、携帯電話本体２との間で音声情報を送受信するヘッドホンである。子機１は、該子機１の電源がオン状態の時に該子機１の識別情報を含む電波を発信する任意の機器でもよい。該子機１は、任意の係止手段（例えば、レール、ネジ、又は、ベルクロテープ（登録商標）等の面ファスナー）を用いて携帯電話本体２に接続可能なように構成されている。携帯電話本体２は、電話通信機能やインターネット接続機能等の、周知の携帯電話としての機能を備える。
【０００８】
図１（Ａ）に示すように、子機１が携帯電話本体２に接続されておらず、子機１の電源及び携帯電話本体２の電源がオン状態である場合、子機１は、例えば、継続的に該子機１の識別情報を含む電波を発信する。図１（Ｂ）に示すように、子機１が携帯電話本体２に接続されると、子機１が、該子機１が携帯電話本体２に接続されたことを検知して、該子機１の電源をオフにする。また、携帯電話本体２が、子機１が該携帯電話本体２に接続されたことを検知して、該携帯電話本体２の電源をオフにする。なお、本発明の一実施形態によれば、携帯電話本体２と接続されて電源がオフになっている子機１が、該子機１が携帯電話本体２から分離されたことを検知して、該子機１の電源をオンにするようにしてもよい。また、子機１と接続されて電源がオフになっている携帯電話本体２が、子機１が該携帯電話本体２から分離されたことを検知して、該携帯電話本体２の電源をオンにするようにしてもよい。
【０００９】
図２は、携帯電話本体と子機との接続例を説明する図である。
図２（Ａ）は、子機１と携帯電話本体２とが接続された状態における本発明の携帯電話機を示す図であり、図２（Ｂ）は、図２（Ａ）に示す携帯電話機の断面を模式的に示した図である。図２（Ａ）に示すように、子機１は、任意の係止手段を用いて携帯電話本体２に接続されている。子機１は、磁石１５とＭＲ（磁気抵抗素子）センサ１６とを備えており、携帯電話本体２は、ＭＲセンサ２７と磁石２８とを備えている。ＭＲセンサ１６とＭＲセンサ２７は、例えばホール素子等で構成されており、磁力を検知する。
【００１０】
子機１が備える磁石１５は、子機１が携帯電話本体２と接続状態にある時に、該磁石１５が該携帯電話本体２内のＭＲセンサ２７の近傍に配置されるような位置に設けられる。該ＭＲセンサ２７は、磁石１５からの磁力を検知することで、子機１が携帯電話本体２に接続されたことを検知する。ＭＲセンサ２７が、子機１が携帯電話本体２に接続されたことを検知すると、携帯電話本体２が備える電源切替手段（図示を省略）が、該携帯電話本体２の電源をオフにする。
また、携帯電話本体２が備える磁石２８は、子機１が携帯電話本体２と接続状態にある時に、該磁石２８が子機１内のＭＲセンサ１６の近傍に配置されるような位置に設けられる。該ＭＲセンサ１６は、磁石２８からの磁力を検知することで、子機１が携帯電話本体２に接続されたことを検知する。ＭＲセンサ１６が、子機１が携帯電話本体２に接続されたことを検知すると、子機１が備える電源切替手段（図示を省略）が、該子機１の電源をオフにする。
【００１１】
図３は、携帯電話本体と子機との他の接続例を説明する図である。
図３に示す例では、子機１が、凸部５１、凹部５２、突起部５３を備え、携帯電話本体２が、凸部５４、凹部５５、突起部５６を備える。なお、子機１は、突起部５３が押されたことを検知することで、子機１が携帯電話２と接続されたことを検知する接続検知手段（図示を省略）を内蔵している。また、携帯電話本体２は、突起部５６が押されたことを検知することで、子機１が携帯電話２と接続されたことを検知する接続検知手段（図示を省略）を内蔵している。
子機１において、突起部５３は凹部５２内に設けられている。また、携帯電話本体２において、突起部５６は凹部５５内に設けられている。子機１が備える凸部５１は、子機１が携帯電話本体２と接続されたときに、該凸部５１が該携帯電話本体２の凹部５５と嵌合して突起部５６を押すような位置に設けられる。また、携帯電話本体２が備える凸部５４は、子機１が携帯電話本体２と接続されたときに、該凸部５４が該子機１の凹部５２と嵌合して突起部５３を押すような位置に設けられる。
【００１２】
子機１が携帯電話本体２と接続されて、子機１の凸部５１が携帯電話本体２の凹部５５と嵌合して突起部５６を押すと、携帯電話本体２が備える上記接続検知手段が、子機１が携帯電話２と接続されたことを検知する。該接続検知手段が、子機１が携帯電話本体２と接続されたことを検知すると、携帯電話本体２が備える電源切替手段（図示を省略）が、該携帯電話本体２の電源をオフにする。
また、子機１が携帯電話本体２と接続されて、携帯電話本体２の凸部５４が子機１の凹部５２と嵌合して突起部５３を押すと、子機１が備える上記接続検知手段が、子機１が携帯電話２と接続されたことを検知する。該接続検知手段が、子機１が携帯電話２と接続されたことを検知すると、子機１が備える電源切替手段（図示を省略）が、該子機１の電源をオフにする。
【００１３】
図４は、携帯電話本体の電源をオフにする処理フローの例である。また、図５は、子機の電源をオフにする処理フローの例である。
本発明の携帯電話機における電源管理処理は、図４及び図５に示す処理フローに従って実行される。なお、図４は、図２を参照して説明した構成を有する携帯電話本体２における電源管理処理を示し、図５は、図２を参照して説明した構成を有する子機１における電源管理処理を示す。また、図４に示す電源管理処理は、携帯電話本体２の電源がオンの状態から開始されるものとし、図５に示す電源管理処理は、子機１の電源がオンの状態から開始されるものとする。
【００１４】
図４のステップＳ１において、携帯電話本体２のＭＲセンサ２７が、磁力を検知したかを判断する（ステップＳ１）。携帯電話本体２のＭＲセンサ２７が、磁力を検知したと判断した場合、携帯電話本体２が内蔵する電源切替手段が、携帯電話本体２の電源をオフにして（ステップＳ２）、処理を終了する。携帯電話本体２のＭＲセンサ２７が、磁力を検知していないと判断した場合、携帯電話本体２が内蔵する電源切替手段は、携帯電話本体２の電源をオフに切り替えず、オン状態のままとする（ステップＳ３）。
【００１５】
図５のステップＳ１１において、子機１のＭＲセンサ１６が、磁力を検知したかを判断する（ステップＳ１１）。子機１のＭＲセンサ１６が、磁力を検知したと判断した場合、子機１が内蔵する電源切替手段が、子機１の電源をオフにして（ステップＳ１２）、処理を終了する。子機１のＭＲセンサ１６が、磁力を検知していないと判断した場合、子機１が内蔵する電源切替手段は、子機１の電源をオフに切り替えず、オン状態のままとする（ステップＳ１３）。
【００１６】
図６は、本発明の第１の実施の形態の携帯電話機の構成例を示す図である。
図６中に示す子機１−１と携帯電話本体２−１とが、本発明の第１の実施の形態の携帯電話機を構成する。子機１−１は、制御部１１、子機通信送信部１２、電源部１３、アンテナ１４、磁石１５、ＭＲセンサ１６、電池１７を備える。制御部１１は、子機通信送信部１２及び電源部１３の動作を制御する。子機通信送信部１２は、アンテナ１４を通じて、携帯電話本体２−１の子機通信受信部３０に対して、通信情報（例えば、子機１−１の識別情報）を含む電波を継続的に発信する。
【００１７】
電源部１３は、電池１７からの電源を子機１−１内に供給する。電源部１３は、後述するＭＲセンサ１６によって、子機１−１が携帯電話本体２−１に接続されたことが検知されると、オフ状態となって、上記電源の子機１−１内への供給を停止する。すなわち、電源部１３は、ＭＲセンサ１６によって子機１−１が携帯電話本体２−１に接続されたことが検知されたときに、該子機１−１の電源をオフにする電源切替手段である。
磁石１５は、子機１−１が携帯電話本体２−１に接続された時に該磁石１５が該携帯電話本体２−１内のＭＲセンサ２７の近傍に配置されるような位置に設けられる。ＭＲセンサ１６は、子機１−１が携帯電話本体２−１に接続されたことを検知する。ＭＲセンサ１６は、該携帯電話本体２−１が備える磁石２８の磁力を検知することで、子機１−１が携帯電話本体２−１に接続されたことを検知し、該検知結果を電源部１３に通知する。すなわち、ＭＲセンサ１６は、子機１−１の携帯電話本体２−１への接続を検知する接続検知手段である。
【００１８】
携帯電話本体２−１は、制御部２１、アンテナ２２、３１、表示部２３、入力部２４、マイク／レシーバ／スピーカ２５、電源部２６、ＭＲセンサ２７、磁石２８、電池２９、子機通信受信部３０を備える。
制御部２１は、アンテナ２２、表示部２３、入力部２４、マイク／レシーバ／スピーカ２５、電源部２６、子機通信受信部３０の動作を制御する。制御部２１は、例えば、子機１−１の子機通信送信部１２から発信される、通信情報を含む電波が、後述する子機通信受信部３０によって受信されているかを監視し、該電波が子機通信受信部３０によって受信されなくなったことを検知した時に、マイク／レシーバ／スピーカ２５に対して制御信号を送信してアラーム（例えば、警告音）を出力させる。すなわち、制御部２１及び子機通信受信部３０は、上記通信情報を含む電波を検知する電波検知手段である。
【００１９】
アンテナ２２は、携帯電話本体２−１が、例えば図示を省略する他の携帯電話本体と電話通信するために用いるアンテナである。表示部２３は、携帯電話本体２−１に入力又は送信された情報を表示する。入力部２４は、例えば、キーボード等の、携帯電話本体２−１に情報を入力する入力手段である。
【００２０】
マイク／レシーバ／スピーカ２５は、音声を受信又は発信する。マイク／レシーバ／スピーカ２５は、例えば、制御部２１から上述した制御信号を受けて、アラーム（例えば、警告音）を出力する。すなわち、マイク／レシーバ／スピーカ２５は、電波検知手段（子機通信受信部３０及び制御部２１）によって電波が検知されなくなったときにアラームを出力するアラーム出力手段である。
電源部２６は、電池２９からの電源を携帯電話本体２−１内に供給する。電源部２６は、後述するＭＲセンサ２７によって、子機１−１が携帯電話本体２−１に接続されたことが検知されると、オフ状態となって、上記電源の携帯電話本体２−１内への供給を停止する。すなわち、電源部２６は、ＭＲセンサ２７によって子機１−１が携帯電話本体２−１に接続されたことが検知されたときに、該携帯電話本体２−１の電源をオフにする電源切替手段である。
【００２１】
ＭＲセンサ２７は、子機１−１が携帯電話本体２−１に接続されたことを検知する。ＭＲセンサ２７は、該子機１−１が備える磁石１５の磁力を検知することで、子機１−１が携帯電話本体２−１に接続されたことを検知し、該検知結果を電源部２６に通知する。すなわち、ＭＲセンサ２７は、子機１−１の携帯電話本体２−１への接続を検知する接続検知手段である。
磁石２８は、子機１−１が携帯電話本体２−１に接続された時に該磁石２８が該子機１−１内のＭＲセンサ１６の近傍に配置されるような位置に設けられる。子機通信受信部３０は、子機１−１の子機通信送信部１２から継続的に発信される、通信情報を含む電波を該子機１−１との通信用のアンテナ３１を通じて受信する。
【００２２】
図６を参照して前述した本発明の第１の実施の形態では、子機１−１が携帯電話本体２−１に接続されると、該子機１−１のＭＲセンサ１６が該子機１−１の携帯電話本体２−１への接続を検知して、電源部１３がオフとなり、該携帯電話本体２−１のＭＲセンサ２７が該子機１−１の携帯電話本体２−１への接続を検知して、電源部２６がオフとなる。従って、本発明の第１の実施の形態によれば、子機１−１と携帯電話本体２−１とを接続するという簡便な操作によって、該子機１−１の電源と該携帯電話本体２−１の電源とをオフにすることができる。
また、本発明の第１の実施の形態では、子機１−１が携帯電話本体２に対して電波を継続的に発信し、該携帯電話本体２が、該子機１−１から発信される電波が受信されなくなったことを検知すると、アラームを出力する。従って、本発明の第１の実施の形態によれば、例えば子機１−１を携帯する携帯電話機のユーザが、携帯電話本体２−１を置き忘れることを防止することができる。
【００２３】
図７は、本発明の第２の実施の形態の携帯電話機の構成例を示す図である。
図７中に示す子機１−２と携帯電話本体２−２とが、本発明の第２の実施の形態の携帯電話機を構成する。子機１−２は、電源部１３、アンテナ１４、磁石１５、ＭＲセンサ１６、電池１７、子機通信受信部１８、音声出力部１９、制御部２０を備える。子機１−２が備える上記構成部のうち、図６中に示す子機１−１が備える構成部と同符号のものは、該子機１−１が備える構成部と同様である。
【００２４】
子機通信受信部１８は、携帯電話本体２−２の子機通信送信部３３から発信される電波をアンテナ１４を通じて受信する。音声出力部１９は、制御部２０から送信される制御信号に従って、アラーム（例えば、警告音）を出力する。制御部２０は、電源部１３、子機通信受信部１８、音声出力の動作を制御する。制御部２０は、例えば、携帯電話本体２−２の子機通信送信部３３から発信される、通信情報を含む電波が、子機通信受信部１８によって受信されているかを監視し、該電波が子機通信受信部１８によって受信されなくなったことを検知した時に、音声出力部１９に対して上記制御信号を送信してアラーム（例えば、警告音）を出力させる。すなわち、子機通信受信部１８及び制御部２０は、上記通信情報を含む電波を検知する電波検知手段であり、音声出力部１９は、電波検知手段（子機通信受信部１８及び制御部２０）によって電波が検知されなくなったときにアラームを出力するアラーム出力手段である。
【００２５】
携帯電話本体２−２は、アンテナ２２、３１、表示部２３、入力部２４、マイク／レシーバ／スピーカ２５、電源部２６、ＭＲセンサ２７、磁石２８、電池２９、制御部３２、子機通信送信部３３を備える。携帯電話本体２−２が備える上記構成部のうち、図６中に示す携帯電話本体２−１が備える構成部と同符号のものは、該携帯電話本体２−１が備える構成部と同様である。
制御部３２は、アンテナ２２、表示部２３、入力部２４、マイク／レシーバ／スピーカ２５、電源部２６、子機通信送信部３３の動作を制御する。子機通信送信部３３は、アンテナ３１を通じて、子機１−２の子機通信受信部１８に対して、通信情報（例えば、携帯電話本体１−２の識別情報）を含む電波を継続的に発信する。
【００２６】
図７を参照して前述した本発明の第２の実施の形態では、子機１−２が携帯電話本体２−２に接続されると、該子機１−２のＭＲセンサ１６が該子機１−１の携帯電話本体２−１への接続を検知して、電源部１３がオフとなり、該携帯電話本体２−２のＭＲセンサ２７が該子機１−１の携帯電話本体２−１への接続を検知して、電源部２６がオフとなる。従って、本発明の第２の実施の形態によれば、子機１−２と携帯電話本体２−２とを接続するという簡便な操作によって、該子機１−２の電源と該携帯電話本体２−２の電源とをオフにすることができる。
また、本発明の第２の実施の形態では、携帯電話本体２−２が、子機１−２に対して電波を継続的に発信し、該子機１−２が、該携帯電話本体２−２から発信される電波が受信されなくなったことを検知すると、アラームを出力する。従って、本発明の第２の実施の形態によれば、例えば子機１−２を携帯する携帯電話機のユーザが、携帯電話本体２−２を置き忘れることを防止することができる。
【００２７】
図８は、本発明の第３の実施の形態の携帯電話機の構成例を示す図である。
図８中に示す子機１−３と携帯電話本体２−３とが、本発明の第３の実施の形態の携帯電話機を構成する。子機１−３は、電源部１３、アンテナ１４、磁石１５、ＭＲセンサ１６、電池１７、音声出力部１９、子機通信受信部４１、制御部４２を備える。子機１−３が備える上記構成部のうち、図７中に示す子機１−２が備える構成部と同符号のものは、該子機１−２が備える構成部と同様である。
【００２８】
音声出力部１９は、制御部４２から送信される制御信号に従って、音声を出力する。子機通信送受信部４１は、アンテナ１４を通じて、携帯電話本体２−３の子機通信送受信部３５に対して、通信情報（例えば、子機１−３の識別情報）を含む電波を継続的に発信する。また、子機通信送受信部４１は、携帯電話本体２−３の子機通信送受信部３５から発信される電波をアンテナ１４を通じて受信する。
制御部４２は、子機通信送受信部４１と電源部１３の動作を制御する。制御部４１は、例えば、携帯電話本体２−３の子機通信送受信部３５から発信される電波が、子機通信送受信部４１によって受信されているかを監視し、該電波が子機通信送受信部４１によって受信されなくなったことを検知した時に、音声出力部１９に対して制御信号を送信してアラーム（例えば、警告音）を出力させる。
【００２９】
携帯電話本体２−３は、アンテナ２２、３１、表示部２３、入力部２４、マイク／レシーバ／スピーカ２５、電源部２６、ＭＲセンサ２７、磁石２８、電池２９、制御部３４、子機通信送受信部３５を備える。携帯電話本体２−３が備える上記構成部のうち、図７中に示す携帯電話本体２−２が備える構成部と同符号のものは、該携帯電話本体２−２が備える構成部と同様である。
制御部３４は、アンテナ２２、表示部２３、入力部２４、マイク／レシーバ／スピーカ２５、電源部２６、子機通信送受信部３５の動作を制御する。制御部３４は、例えば、子機１−３の子機通信送受信部４１から発信される電波が、子機通信送受信部３５によって受信されているかを監視し、該電波が子機通信送受信部３５によって受信されなくなったことを検知した時に、マイク／レシーバ／スピーカ２５に対して制御信号を送信してアラーム（例えば、警告音）を出力させる。
子機通信送信部３５は、アンテナ３１を通じて、子機１−３の子機通信送受信部４１に対して、通信情報（例えば、携帯電話本体１−３の識別情報）を含む電波を継続的に発信する。また、子機通信送受信部３５は、子機１−３の子機通信送受信部４１から発信される電波をアンテナ３１を通じて受信する。
【００３０】
図８を参照して前述した本発明の第３の実施の形態では、子機１−３が携帯電話本体２−３に接続されると、該子機１−３のＭＲセンサ１６が該子機１−３の携帯電話本体２−３への接続を検知して、電源部１３がオフとなり、該携帯電話本体２−３のＭＲセンサ２７が該子機１−３の携帯電話本体２−３への接続を検知して、電源部２６がオフとなる。従って、本発明の第３の実施の形態によれば、子機１−３と携帯電話本体２−３とを接続するという簡便な操作によって、該子機１−３の電源と該携帯電話本体２−３の電源とをオフにすることができる。
また、本発明の第３の実施の形態では、携帯電話本体２−３が、子機１−３に対して電波を継続的に発信し、該子機１−３が、該携帯電話本体２−３から発信される電波が受信されなくなったことを検知すると、アラームを出力する。また、子機１−３が、携帯電話本体２−３に対して電波を継続的に発信し、該携帯電話本体２−３が、該子機１−３から発信される電波が受信されなくなったことを検知すると、アラームを出力する。従って、本発明の第３の実施の形態によれば、例えば子機１−３を携帯する携帯電話機のユーザが、携帯電話本体２−３を置き忘れることを防止することができる。
【産業上の利用可能性】
【００３１】
以上、説明したように、本発明によれば、例えば航空機の離着陸時等、携帯電話機の電源をオフにすることが必要な環境において、子機と携帯電話本体とを接続するという簡便な操作によって、該子機と該携帯電話本体の電源をオフにすることが可能となる。
また、本発明によれば、例えば、子機を携帯する携帯電話機のユーザが、携帯電話本体を置き忘れることを防止することができる。
【図面の簡単な説明】
【００３２】
【図１】本発明の原理を説明する図である。
【図２】携帯電話本体と子機との接続例を説明する図である。
【図３】携帯電話本体と子機との他の接続例を説明する図である。
【図４】携帯電話本体の電源をオフにする処理フローの例である。
【図５】子機の電源をオフにする処理フローの例である。
【図６】本発明の第１の実施の形態の携帯電話機の構成例を示す図である。
【図７】本発明の第２の実施の形態の携帯電話機の構成例を示す図である。
【図８】本発明の第３の実施の形態の携帯電話機の構成例を示す図である。
【符号の説明】
【００３３】
１、１−１、１−２、１−３  子機
２、２−１、２−２、２−３  携帯電話本体
１１、２０、２１、３２、３４、４２  制御部
１２、３３  子機通信送信部
１３、２６  電源部
１４、２２、３１  アンテナ
１５、２８  磁石
１６、２７  ＭＲセンサ
１７、２９  電池
１８、３０  子機通信受信部
１９  音声出力部
２３  表示部
２４  入力部
２５  マイク／レシーバ／スピーカ
３５、４１  子機通信送受信部
５１、５４  凸部
５２、５５  凹部
５３、５６  突起部
【図１】
0004836893.tif 000002
【図２】
0004836893.tif 000003
【図３】
0004836893.tif 000004
【図４】
0004836893.tif 000005
【図５】
0004836893.tif 000006
【図６】
0004836893.tif 000007
【図７】
0004836893.tif 000008
【図８】
0004836893.tif 000009